(57)【要約】      （修正有）【課題】地震や火災等の災害が発生した緊急時において有用であると同時に、通常においても使用できる汎用性に富んだマット兼用リュックサックを提供する。【解決手段】蓋部１と、蓋部１と屈曲可能に結合した背面部２と、背面部２と屈曲可能に結合した底部３と、底部３と屈曲可能に結合した前面部４と、背面部２と前面部４とを着脱可能に結合する手段を有した左側面部５ａ、５ｂと右側面部６ａ、６ｂとを備え、蓋部１、背面部２、底部３、および前面部４が、この順に上下一列に配置されている。【選択図】図１
0003198792.tif 000002
【実用新案登録請求の範囲】
【請求項１】
蓋部と、
当該蓋部と屈曲可能に結合した背面部と、
当該背面部と屈曲可能に結合した底部と、
当該底部と屈曲可能に結合した前面部と、
上記背面部と上記前面部とを着脱可能に結合する手段を有した左側面部と右側面部と、
上記蓋部と上記前面部とを着脱可能に固定する固定手段と、
上記背面部に設けられたショルダーベルトと、
を備え、
上記蓋部、上記背面部、上記底部、および上記前面部が、この順に上下一列に配置された
ことを特徴とするマット兼用リュックサック。
【請求項２】
上記左側面部は、第一左側面部と第二左側面部とに２体に分割されたものであり、
上記右側面部は、第一右側面部と第二右側面部とに２体に分割されたものであり、
上記第一左側面部と上記第一右側面部とは、上記背面部の左右両側にそれぞれ屈曲可能に結合し、
上記第二左側面部と上記第二右側面部とは、上記前面部の左右両側にそれぞれ屈曲可能に結合し、
上記第一左側面部と上記第二左側面部とは着脱可能に結合する手段を有し、
上記第一右側面部と上記第二右側面部とは着脱可能に結合する手段を有する
ことを特徴とする請求項１に記載のマット兼用リュックサック。
【請求項３】
少なくとも上記蓋部、上記背面部、上記底部、および上記前面部のいずれもがマット素材からなる
ことを特徴とする請求項１または２に記載のマット兼用リュックサック。
【請求項４】
上記底部の左側に屈曲可能に結合した左底部補強部と、
上記底部の右側に屈曲可能に結合した右底部補強部と、
を備え、
上記左底部補強部と上記左側面部とが着脱可能に結合する手段を有し、
上記右底部補強部と上記右側面部とが着脱可能に結合する手段を有する
ことを特徴とする請求項１から３のいずれかに記載のマット兼用リュックサック。
【請求項５】
上記前面部に着脱可能に結合する手段を有したポケットが設けられ、
当該ポケットは空気を圧入することにより枕となるエアーピローである
ことを特徴とする請求項１から４のいずれかに記載のマット兼用リュックサック。
【請求項６】
収納袋をさらに設けた
ことを特徴とする請求項１から５のいずれかに記載のマット兼用リュックサック。
【考案の詳細な説明】
【技術分野】
【０００１】
本考案は、リュックサックとしてもマットとしても使用可能なマット兼用リュックサックに関するものである。
【背景技術】
【０００２】
神戸における震災や東日本大震災を経験し、我が国においてはかつてないほど防災意識が高まっている。例えば、被災後の避難生活に備えて、必要な物をリュックサック等に詰めておき、非常時にすぐに持ち出せるよう準備を行っている家庭も多い。
【０００３】
大地震等の大災害が発生した際には、学校の体育館等で避難生活を送るケースがあるが、そのような緊急時には十分な数の寝具を用意することが困難であり、床の上にじかに寝るといったことが想定される。また、実際に上記の震災時においては、簡易な毛布しか付与されなかった避難場所が大多数であった。
【０００４】
このような事態に備えて、非常持ち出し用品と簡易なマットをリュックサック等に詰めておくことも考えられるが、そのためには、かなり大容積のリュックサック等が必要となり、緊急時に持ち出すには不向きであると言える。
そこで、寝袋をリュックサックに収納することで、運搬を容易にしたリュックサック兼用寝袋が提案されている（例えば、特許文献１）。
【先行技術文献】
【特許文献】
【０００５】
【特許文献１】特開２００７−７５５００
【考案の概要】
【考案が解決しようとする課題】
【０００６】
上述した特許文献１に開示されているリュックサック兼用寝袋は、リュックサックと寝袋を一体化したものであり、寝袋を収納し運搬するには便利な構成となっている。しかし、リュックサックの中に寝袋を収納するため、他の物を収納するスペースが著しく限定されてしまい、必要な非常持ち出し用品を収納することは困難であった。
【０００７】
さらに、リュックサックを形成する素材は寝袋とは異なるため、全体の重量が非常に大きくなってしまい、緊急時に迅速に持ち出すには適していない。特に、力の弱い女性や高齢者には不向きであった。
【０００８】
本考案は、上記の諸課題を勘案し、非常時に簡便に持ち出すことができるマット兼用リュックサックを提供するものである。また、非常時だけではなく、日常やレジャーの際にも適した汎用性の高いマット兼用リュックサックを提供するものである。
【課題を解決するための手段】
【０００９】
本考案の請求項１に係るマット兼用リュックサックは、
蓋部と、
当該蓋部と屈曲可能に結合した背面部と、
当該背面部と屈曲可能に結合した底部と、
当該底部と屈曲可能に結合した前面部と、
上記背面部と上記前面部とを着脱可能に結合する手段を有した左側面部と右側面部と、
上記蓋部と上記前面部とを着脱可能に固定する固定手段と、
上記背面部に設けられたショルダーベルトと、
を備え、
上記蓋部、上記背面部、上記底部、および上記前面部が、この順に上下一列に配置された
ことを特徴とする。
【００１０】
本考案の請求項２に係るマット兼用リュックサックは、
上記左側面部は、第一左側面部と第二左側面部とに２体に分割されたものであり、
上記右側面部は、第一右側面部と第二右側面部とに２体に分割されたものであり、
上記第一左側面部と上記第一右側面部とは、上記背面部の左右両側にそれぞれ屈曲可能に結合し、
上記第二左側面部と上記第二右側面部とは、上記前面部の左右両側にそれぞれ屈曲可能に結合し、
上記第一左側面部と上記第二左側面部とは着脱可能に結合する手段を有し、
上記第一右側面部と上記第二右側面部とは着脱可能に結合する手段を有する
ことを特徴とする。
【００１１】
本考案の請求項３に係るマット兼用リュックサックは、
少なくとも上記蓋部、上記背面部、上記底部、および上記前面部のいずれもがマット素材からなる
ことを特徴とする。
【００１２】
本考案の請求項４に係るマット兼用リュックサックは、
上記底部の左側に屈曲可能に結合した左底部補強部と、
上記底部の右側に屈曲可能に結合した右底部補強部と、
をさらに備え、
上記左底部補強部と上記左側面部とが着脱可能に結合する手段を有し、
上記右底部補強部と上記右側面部とが着脱可能に結合する手段を有する
ことを特徴とする。
【００１３】
本考案の請求項５に係るマット兼用リュックサックは、
上記前面部に着脱可能に結合する手段を有したポケットが設けられ、
当該ポケットは空気を圧入することにより枕となるエアーピローである
ことを特徴とする。
【００１４】
本考案の請求項６に係るマット兼用リュックサックは、
収納袋をさらに設けた
ことを特徴とする。
【考案の効果】
【００１５】
本考案のマット兼用リュックサックは、地震や火災等の緊急時において使用することを主目的としているが、同時に、近所のスーパに買い物に行くといった日常における使用や、レジャーの際の使用にも適したものであり、極めて汎用性が高いことが特長である。
【００１６】
基本的な機能としては、リュックサックの状態から展開して簡便にマットの状態にすることが可能であり、逆に、マットの状態から簡単な手順でリュックサックに組立てることができる。また、リュックサックの前面部に着脱可能に設けられたポケットは、小物を入れることができると同時に、前面部から外して枕として用いることができる。
【００１７】
本考案において特に工夫したことは、リュックサックの外側のほぼ全体がマットになるようにしたことである。すなわち、リュックサックの外側を構成する素材とマットを構成する素材が、ほぼ共通している。これにより、無駄な素材を使用することなく、材料コストの低減が可能となった。そして、無駄な素材を用いていないので軽量であり、且つ、リュックサックの内容積を十分に大きくできるという優れた特長を実現した。
したがって、以下に述べるように様々な場面での使用に適したものとなった。
【００１８】
第１に、軽量且つ大容積のリュックサックであるので、避難生活に必要な物を収納しておき、緊急時において機動的に持ち出すことができる。特に、力の弱い女性や高齢者も使用しやすい。そして、避難生活をしている期間は、マットや枕として使用できる。
第２に、マット素材を使用しているため、衝撃吸収効果を有し、転倒事故等の際に、怪我等を緩和することができる。緊急時には慌てて行動することため、転倒する危険性も高いが、その際に身体を守る役割も果たす。
【００１９】
第３に、避難生活に必要な物を持ち出す以外にも緊急時に有効な使用方法が考えられる。例えば、展開したマットの状態で頭から被り、頭から背中部分を保護しながら避難することができる。
また、大きな板等と展開したマットとを組み合わせることで、怪我人を運ぶ担架として利用できる。あるいは、全面マット使用で籠状になってるため、緊急時に小型犬などの小動物を持ち出すために利用できる。
さらに、マット素材を使用しているため、通常のリュックより浮力があり、水難事故の際に救助等に活用できる。
【００２０】
第４に、簡易マットと枕になるので、海や山にレジャーに出掛ける際に簡易の寝具、あるいは休息具として利用できる。または、岩場や木の幹に展開したマットをＬ字状にもたせ掛けて座椅子状にして使用することで、疲れた際に簡易の休息を取ることができる。
【００２１】
第５に、傷つきやすい荷物や割れやすい物を運ぶ際に利用できる。マット素材を使用しているため衝撃吸収効果があり、内容物に大きな衝撃が掛かりにくいためである。
【００２２】
第６に、リュックに納まるかどうかといった大きな荷物も容易に収納し運ぶことができる。展開した状態で荷物を底面部分に置き、その状態からリュックサックに組み上げることで、大きな荷物も容易に収納できるからである。
【００２３】
それ以外にも、軽量且つ大容積のリュックサックであるので、近くのスーパへの買い物といった日常の様々なシーンでの使用にも適している。
以上のように、本考案は緊急時に特に能力を発揮し、且つそれ以外の日常やレジャーの様々な場面でも活用できるものである。
【図面の簡単な説明】
【００２４】
【図１】本考案に係るマット兼用リュックサックの展開時の表面図である。
【図２】本考案に係るマット兼用リュックサックの展開時の裏面図である。
【図３】本考案に係るマット兼用リュックサックの組み上げ時の斜視図である。
【図４】本考案の実施の形態２に係るマット兼用リュックサックの展開時の表面図である。
【図５】本考案の実施の形態２に係る別のマット兼用リュックサックの展開時の表面図である。
【図６】本考案の実施の形態２に係るさらに別のマット兼用リュックサックの展開時の表面図である。
【図７】本考案の実施の形態４に係るマット兼用リュックサックの展開時の表面図である。
【図８】本考案の実施の形態４に係るマット兼用リュックサックの展開時の裏面図である。
【考案を実施するための形態】
【００２５】
本考案に係るマット兼用リュックサックの構成等に関して、以下において、図面を用いて説明する。なお、以下の説明は本考案に関する良好な一例を開示するものであり、本考案が以下の実施の形態に限定されるものではない。例えば、各実施の形態において開示する考案品の材料等は、良好な一例を示すに過ぎず、その他の可能性を否定するものでは無い。
【００２６】
実施の形態１．
＜構成＞
まず、図１および図２を用いて、本考案に係るマット兼用リュックサックの構成について説明する。
図１はマット兼用リュックサックの展開時の表面図、図２は裏面図である。ここで表面とは、リュックサックに組立てた際のリュックサックの外側にあたる面である。
なお、本実施の形態における以下の説明において、上下左右という言葉を使用することがあるが、それは図１における上下左右に対応するものである。
【００２７】
図１に示すように、マット兼用リュックサックは、蓋部１と、この蓋部１と屈曲可能に結合した背面部２と、この背面部２と屈曲可能に結合した底部３と、この底部３と屈曲可能に結合した前面部４と、背面部２と前面部４とを着脱可能に結合する手段を有した左側面部と右側面部と、背面部２に設けられたショルダーベルト７とから主に構成される。そして、蓋部１、背面部２、底部３、および前面部４が、この順に上下一列に配置されている。
【００２８】
上記左側面部は、第一左側面部５ａと第二左側面部５ｂとに２体に分割されたものであり、上記右側面部は、第一右側面部６ａと第二右側面部６ｂとに２体に分割されたものである。
そして、第一左側面部５ａと第一右側面部６ａとは、背面部２の左右両側にそれぞれ屈曲可能に結合し、第二左側面部５ｂと第二右側面部６ｂとは、前面部４の左右両側にそれぞれ屈曲可能に結合している。
また、第一左側面部５ａと第二左側面部５ｂとは着脱可能に結合する結合手段５ｃと５ｄを有し、第一右側面部６ａと第二右側面部６ｂとは着脱可能に結合する結合手段６ｃと６ｄを有している。
【００２９】
図１において、ハッチ掛けしている部分はマット素材で主に構成されている。すなわち、蓋部１、背面部２、底部３、全面部４、第一左側面部５ａ、第二左側面部５ｂ、第一右側面部６ａ、および第二右側面部６ｂは、マット素材で主に構成されている。マット素材としては、ウレタン、ゴム、弾性のある樹脂等を芯材とし、布やナイロン等で被覆したもの等で良い。被覆の方法は接着や縫合等である。
【００３０】
そして、例えば、蓋部１と背面部２の結合部分にはマット素材を用いず、したがって、蓋部１と背面部２との結合部分においては屈曲することができる。
また、結合手段５ｃと５ｄはファスナーであり、着脱可能な結合手段として機能する。結合手段６ｃと６ｄについても同様である。
【００３１】
前面部４には着脱可能に結合する手段を有したポケット９が設けられており、このポケット９は空気を圧入することにより枕となるエアーピローである。例えば、面ファスナーによりポケット９の３辺が前面部４に着脱可能に結合できる。そして、ポケット９を取り外し、内部に空気を圧入すれば、枕として使用できる。
【００３２】
蓋部１の上端と、前面部４の下端には、蓋固定手段８ａと８ｂが設けられている。本実施の形態ではベルト止めにより固定できるようにしている。
【００３３】
＜使用方法＞
次に、マット兼用リュックサックの使用方法について説明する。
マットとして使用する場合には、図２のように裏面側が表になるように床等に展開して使用する。裏面側には、ショルダーベルト７等の出っ張り部分が無いため、その上で快適に休息および就寝が可能である。
【００３４】
マットの状態からリュックサックの状態に組立てる時は、図２の状態から、破線Ａを回転軸として背面部２を床等から９０°起こす。同様に、破線Ｂを回転軸として前面部４を床等から９０°起こす。そして、第一左側面部５ａと第二左側面部５ｂとが近づくようにそれぞれを９０°回転させ、ファスナーである結合手段５ｃと５ｄを閉める。同様に、第一右側面部６ａと第二右側面部６ｂとが近づくようにそれぞれを９０°回転させ、ファスナーである結合手段６ｃと６ｄを閉める。最後に、蓋固定手段８ａと８ｂにより、蓋部１を前面部４に固定してやれば、図３に示すようにリュックサックの状態に組立てが完了する。
【００３５】
リュックサックの状態からマットの状態に展開する時は、上記と逆の順にしてやればよい。
このように、簡単な手順により、リュックサックの組立て、およびマットへの展開が可能である。
【００３６】
＜上記以外の構成＞
本実施の形態においては、マット兼用リュックサックの最適な一構成を以上に示したが、その他の構成であっても良い。
例えば、蓋部１、背面部２、底部３、全面部４、第一左側面部５ａ、第二左側面部５ｂ、第一右側面部６ａ、および第二右側面部６ｂをマット素材で構成したが、蓋部１、背面部２、底部３、および全面部４だけをマット素材としても良い。少なくとも、蓋部１、背面部２、底部３、および全面部４がマット素材であれば、マットの中心部分はすべてマット素材となり、快適に休息や就寝が可能である。
【００３７】
また、着脱可能に結合する結合手段５ｃと５ｄ、および結合手段６ｃと６ｄとして、ファスナーを用いたが、その他の着脱可能な結合手段であっても良い。例えば、ベルト止めやボタン止め、あるいは、面ファスナーや磁石を用いたものでも良い。
【００３８】
蓋固定手段８ａと８ｂについても同様であり、ボタン止め、あるいは、面ファスナーや磁石を用いたものでも良い。いずれも、着脱可能な手段であれば、どのような手段であっても良い。
【００３９】
実施の形態２．
実施の形態１においては、展開した形態を図１に示す形態としたが、図４から図６に示すような形態であっても良い。いずれも、図１との違いは、左側面部および右側面部が一体で形成されている点である。
【００４０】
図４においては、左側面部５ｅおよび右側面部６ｅが背面部２の左右に設けられている。そして、結合手段５ｆおよび６ｆがそれぞれの一端に設けられている。また、それぞれに結合する結合手段５ｇおよび６ｇが前面部４の左右にそれぞれ設けられている。
この構成においても、マットの状態からリュックサックの状態に容易に組立てることができる。
【００４１】
図５においては、左側面部５ｈおよび右側面部６ｈが前面部４の左右に設けられている。そして、結合手段５ｉおよび６ｉがそれぞれの一端に設けられている。また、それぞれに結合する結合手段５ｊおよび６ｊが背面部２の左右にそれぞれ設けられている。
この構成においても、マットの状態からリュックサックの状態に容易に組立てることができる。
【００４２】
図６においては、左側面部５ｋが背面部２の左側に、右側面部６ｋが前面部４の右側に設けられている。そして、結合手段５ｍおよび６ｍがそれぞれの一端に設けられている。また、それぞれに結合する結合手段５ｍが前面部４の左側に、結合手段６ｍが背面部２の右側にそれぞれ設けられている。
この構成においても、マットの状態からリュックサックの状態に容易に組立てることができる。
【００４３】
実施の形態３．
実施の形態１および２においては、左側面部および右側面部の一端を背面部２や前面部４と屈曲可能に結合した状態で設けた。本実施の形態においては、左側面部および右側面部を別体とし、左側面部の左右に結合手段を設け、右側面部の左右にも結合手段を設ける。また、背面部２の左右、および前面部４の左右にもそれぞれ結合手段を設ける。
このようにすることでも、マットの状態からリュックサックの状態に容易に組立てることができる。
【００４４】
以上、実施の形態１から３に示したように、背面部２と前面部４とを着脱可能に結合する手段を有した左側面部と右側面部であれば、マットの状態からリュックサックの状態に容易に組立てることができる。
【００４５】
実施の形態４．
実施の形態１から３で説明したマット兼用リュックサックのリュックサックに組み上げた際の構造強度をさらに高めるために、底部を補強する補強部をさらに設けても良い。具体的な構成を図７および図８を用いて説明する。図７はマット兼用リュックサックの展開時の表面図、図８は裏面図である。
図７と図８においては、実施の形態１で説明したマット兼用リュックサックに補強部をさらに設けているが、実施の形態２および３で説明したマット兼用リュックサックに関しても基本的に同様である。
【００４６】
本実施の形態に係るマット兼用リュックサックは、底部３の左側に屈曲可能に結合した左底部補強部１０と、底部３の右側に屈曲可能に結合した右底部補強部１１とを備え、左底部補強部１０と左側面部とが着脱可能に結合する手段を有し、右底部補強部１１と右側面部とが着脱可能に結合する手段をさらに有している。
【００４７】
ここで、左底部補強部１０と左側面部とが着脱可能に結合する手段とは、具体的には、左底部補強部１０に設けられた結合手段１０ａおよび１０ｂと、第一左側面部５ａに設けられた結合手段１０ｃと第二左側面部５ｂに設けられた結合手段１０ｄからなる。
また、右底部補強部１１と左側面部とが着脱可能に結合する手段とは、左底部補強部１１に設けられた結合手段１１ａおよび１１ｂと、第一左側面部５ａに設けられた結合手段１１ｃと第二左側面部５ｂに設けられた結合手段１１ｄからなる。
なお、着脱可能な結合手段は、ボタン止め、あるいは、面ファスナーや磁石を用いたもの等で良い。
【００４８】
上記のように構成することで、リュックサックに組立てた際に、底部と両側面部とをしっかりと結合させることができる。これにより構造強度が向上し、重い物をリュックに詰めた場合にも底部が落ち込まず、安定して運搬ができる。
【００４９】
＜本考案の特長＞
以下、本考案の特長についてまとめる。
本考案のマット兼用リュックサックは、地震や火災等の緊急時において使用することを主目的としているが、同時に、近所のスーパに買い物に行くといった日常における使用や、レジャーの際の使用にも適したものであり、極めて汎用性が高いことが特長である。
【００５０】
基本的な機能としては、リュックサックの状態から展開して簡便にマットの状態にすることが可能であり、逆に、マットの状態から簡単な手順でリュックサックに組立てることができる。また、リュックサックの前面部に着脱可能に設けられたポケットは、小物を入れることができると同時に、前面部から外して枕として用いることができる。
【００５１】
本考案において特に工夫したことは、リュックサックの外側のほぼ全体がマットになるようにしたことである。すなわち、リュックサックの外側を構成する素材とマットを構成する素材が、ほぼ共通している。これにより、無駄な素材を使用することなく、材料コストの低減が可能となった。そして、無駄な素材を用いていないので軽量であり、且つ、リュックサックの内容積を十分に大きくできるという優れた特長を実現した。
したがって、以下に述べるように様々な場面での使用に適したものとなった。
【００５２】
第１に、軽量且つ大容積のリュックサックであるので、避難生活に必要な物を収納しておき、緊急時において機動的に持ち出すことができる。特に、力の弱い女性や高齢者も使用しやすい。そして、避難生活をしている期間は、マットや枕として使用できる。
第２に、マット素材を使用しているため、衝撃吸収効果を有し、転倒事故等の際に、怪我等を緩和することができる。緊急時には急いで行動するため、慌てて転倒する危険性も高いが、その際に身体を守る役割も果たす。
【００５３】
第３に、避難生活に必要な物を持ち出す以外にも緊急時に有効な使用方法が考えられる。例えば、展開したマットの状態で頭から被り、頭から背中部分を保護しながら避難することができる。
また、大きな板等と展開したマットとを組み合わせることで、怪我人を運ぶ担架として利用できる。あるいは、全面マット使用で籠状になってるため、緊急時に小型犬などの小動物を持ち出すために利用できる。
さらに、マット素材を使用しているため、通常のリュックより浮力があり、水難事故の際に救助等に活用できる。
【００５４】
第４に、簡易マットと枕になるので、海や山にレジャーに出掛ける際に簡易の寝具、あるいは休息具として利用できる。または、岩場や木の幹に展開したマットをＬ字状にもたせ掛けて座椅子状にして使用することで、疲れた際に簡易の休息を取ることができる。
【００５５】
第５に、傷つきやすい荷物や割れやすい物を運ぶ際に利用できる。マット素材を使用しているため衝撃吸収効果があり、運搬時に内容物に大きな衝撃が掛かりにくいためである。
【００５６】
第６に、リュックサックに納まるかどうかといった大きな荷物も容易に収納し運ぶことができる。展開した状態で荷物を底面部分に置き、その状態からリュックサックに組み上げることで、大きな荷物も容易に収納できるからである。
【００５７】
それ以外にも、軽量且つ大容積のリュックサックであるので、近くのスーパへの買い物といった日常の様々なシーンでの使用にも適している。
以上のように、本考案は緊急時に特に能力を発揮し、且つそれ以外の日常やレジャーの様々な場面でも活用できるものである。
【００５８】
なお、組立てたリュックサックの内部、すなわち収納スペースの形や大きさに適合する収納袋をさらに設けても良い。収納袋は、巾着袋のようなもので良い。収納袋をさらに設ければ、マットに展開する際に、リュックサックに詰められた複数のものをまとめて取り出すことができる。また、マットとして使用している期間、リュックサックに詰められた複数のものをまとめて保管できる。さらに収納袋をビニール等の防水性のものとすれば、リュックサックとして使用する際に、雨等によってリュックサックが濡れても、内容物が濡れないように保護することが可能である。
【符号の説明】
【００５９】
１  蓋部
２  背面部
３  底部
４  前面部
５ａ  第一左側面部
５ｂ  第二左側面部
５ｃ  結合手段
５ｄ  結合手段
６ａ  第一右側面部
６ｂ  第二右側面部
６ｃ  結合手段
６ｄ  結合手段
７  ショルダーベルト
８ａ  蓋固定手段
８ｂ  蓋固定手段
９  ポケット（エアーピロー）
【図１】
0003198792.tif 000003
【図２】
0003198792.tif 000004
【図３】
0003198792.tif 000005
【図４】
0003198792.tif 000006
【図５】
0003198792.tif 000007
【図６】
0003198792.tif 000008
【図７】
0003198792.tif 000009
【図８】
0003198792.tif 000010